【手続補正書】
【提出日】平成17年9月30日(2005.9.30)
【手続補正１】
【補正対象書類名】明細書
【補正対象項目名】発明の名称
【補正方法】変更
【補正の内容】
【発明の名称】インターリーブ装置、インターリーブ方法、インターリーブプログラム、デジタル放送受信装置及びデジタル放送受信方法
【手続補正２】
【補正対象書類名】明細書
【補正対象項目名】特許請求の範囲
【補正方法】変更
【補正の内容】
【特許請求の範囲】
【請求項１】  任意のインターリーブ深さを選択可能なインターリーブ装置であって、
前記選択可能なインターリーブ深さから一つを選択し出力するインターリーブ深さ選択手段と、
前記選択されたインターリーブ深さによらず一定のアドレス生成を行う書き込みアドレス生成手段と、
前記インターリーブ深さ選択手段の出力に応じてアドレス生成を行う読み出しアドレス生成手段と、
メモリとを具備し、
前記書き込みアドレス生成手段により指定された前記メモリ上の領域に入力されたデータを書き込み、
前記読み出しアドレス生成手段により指定された前記メモリ上の領域から読み出されたデータを出力するインターリーブ装置。
【請求項２】  前記書き込みアドレス生成手段は、あらかじめ定められた数列を記憶する記憶手段を具備し、前記記憶手段から順次値を読み出し、前記読み出された値をアドレスとして出力し、
前記読み出しアドレス生成手段は、あらかじめ定められた数列を記憶する複数の記憶手段を具備し、前記インターリーブ深さ選択手段により選択されるインターリーブ深さに応じて前記複数の記憶手段からひとつを選択し、前記選択された記憶手段から順次値を読み出し、前記読み出された値をアドレスとして出力する請求項１記載のインターリーブ装置。
【請求項３】  Ｎ本のパスを有し、任意のパスｐの遅延量は、あらかじめ定められた各パス固有の遅延量Ｄ（ｐ）と、任意に選択可能なインターリーブ深さＩとの乗算で与えられるインターリーブ装置であって、
インターリーブ深さ選択手段と、
カウンタと、
書き込みアドレス生成手段と、
読み出しアドレス生成手段と、
メモリとを具備し、
前記書き込みアドレス生成手段により指定された前記メモリ上の領域に入力されたデータを書き込み、
前記読み出しアドレス生成手段により指定された前記メモリ上の領域から読み出されたデータを出力し、
前記インターリーブ深さ選択手段は、選択可能なインターリーブ深さからひとつを選択して出力し、
前記カウンタは、値を保持し、前記保持された値を出力し、前記保持される値は、Ｎ個のデータが入力または出力される毎に１が加算され、
前記書き込みアドレス生成手段は、
第１のパス指定手段と、
第１の遅延量演算手段と、
第１のアドレス演算手段とを具備し、
前記第１の遅延量演算手段は、前記第１のパス指定手段により定まるパス固有の遅延量を出力し、
前記第１のアドレス演算手段は、前記カウンタの出力と、前記第１の遅延量演算手段の出力と、第１のパス指定手段の出力により一意に求まるアドレスを出力し、
前記読み出しアドレス生成手段は、
第２のパス指定手段と、
第２の遅延量演算手段と、
第２のアドレス演算手段とを具備し、
前記第２の遅延量演算手段は、前記第２のパス指定手段により定まるパス固有の遅延量を出力し、
前記第２のアドレス演算手段は、前記インターリーブ深さ選択手段の出力と、前記カウンタの出力と、前記第２の遅延量演算手段の出力と、第２のパス指定手段の出力により一意に求まるアドレスを出力するインターリーブ装置。
【請求項４】  前記各パス固有の遅延量Ｄ（０），Ｄ（１），…，Ｄ（Ｎ−１）のうち最大のものをｍ、前記選択可能なインターリーブ深さのうち最大のものをＩmax 、ＭをＩmax ×ｍとし、αを任意の正整数とするとき、
前記メモリは、行方向にＭ＋２α，列方向にＮ／２の２次元の領域を有する請求項３記載のインターリーブ装置。
【請求項５】  前記第１のアドレス演算手段は、前記カウンタの出力をｎ、前記第１のパス指定手段の出力をｐ1 、前記第１の遅延量演算手段の出力をＤ（ｐ1 ）とするとき、（数１）に示される２次元座標をアドレスとして出力し、
【数１】
2004128945.tif 000001
前記第２のアドレス演算手段は、前記カウンタの出力をｎ、前記第２のパス指定手段の出力をｐ2 、前記第２の遅延量演算手段の出力をＤ（ｐ2 ）とするとき、（数２）に示される２次元座標をアドレスとして出力する
【数２】
2004128945.tif 000002
請求項４記載のインターリーブ装置。
【請求項６】  前記第１のアドレス演算手段は、前記カウンタの出力をｎ、前記第１のパス指定手段の出力をｐ1 、前記第１の遅延量演算手段の出力をＤ（ｐ1 ）とするとき、（数３）に示される２次元座標をアドレスとして出力し、
【数３】
2004128945.tif 000003
前記第２のアドレス演算手段は、前記カウンタの出力をｎ、前記第２のパス指定手段の出力をｐ2 、前記第２の遅延量演算手段の出力をＤ（ｐ2 ）とするとき、（数４）に示される２次元座標をアドレスとして出力する
【数４】
2004128945.tif 000004
請求項４記載のインターリーブ装置。
【請求項７】  任意のインターリーブ深さを選択可能なインターリーブ方法であって、
前記選択可能なインターリーブ深さから一つを選択し、
書き込みアドレスは、前記選択されたインターリーブ深さによらず一定のアドレス生成を行い、
読み出しアドレスは、前記選択されたインターリーブ深さに応じたアドレス生成を行い、
前記書き込みアドレスにより指定されたメモリ上の領域に入力されたデータを書き込み、
前記読み出しアドレスにより指定された前記メモリ上の領域から読み出されたデータを出力するインターリーブ方法。
【請求項８】  請求項７記載のインターリーブ方法を実行するための信号処理手順を記載したインターリーブプログラム。
【請求項９】  インターリーブ装置を具備するデジタルテレビ放送の受信装置であって、
前記インターリーブ装置は、
N本のパスを有し、任意のパスｐの遅延量は、あらかじめ定められた各パス固有の遅延量Ｄ（ｐ）と、任意に選択可能なインターリーブ深さＩとの乗算で与えられるインターリーブ装置であって、
インターリーブ深さ選択手段と、
カウンタと、
書き込みアドレス生成手段と、
読み出しアドレス生成手段と、
メモリとを具備し、
前記書き込みアドレス生成手段により指定された前記メモリ上の領域に入力されたデータを書き込み、
前記読み出しアドレス生成手段により指定された前記メモリ上の領域から読み出されたデータを出力するものであって、
前記インターリーブ深さ選択手段は、選択可能なインターリーブ深さからひとつを選択して出力し、
前記カウンタは、値を保持し、前記保持された値を出力し、前記保持される値は、Ｎ個のデータが入力または出力される毎に１が加算され、
前記書き込みアドレス生成手段は、
第１のパス指定手段と、
第１の遅延量演算手段と、
第１のアドレス演算手段とを具備し、
前記第１の遅延量演算手段は、前記第１のパス指定手段により定まるパス固有の遅延量を出力し、
前記第１のアドレス演算手段は、前記カウンタの出力と、前記第１の遅延量演算手段の出力と、第１のパス指定手段の出力により一意に求まるアドレスを出力し、
前記読み出しアドレス生成手段は、
第２のパス指定手段と、
第２の遅延量演算手段と、
第２のアドレス演算手段とを具備し、
前記第２の遅延量演算手段は、前記第２のパス指定手段により定まるパス固有の遅延量を出力し、
前記第２のアドレス演算手段は、前記インターリーブ深さ選択手段の出力と、前記カウンタの出力と、前記第２の遅延量演算手段の出力と、第２のパス指定手段の出力により一意に求まるアドレスを出力するデジタル放送受信装置。
【請求項１０】  デジタルテレビ放送を受信し、インターリーブ方法を含む復調処理を施す受信方法であって、
前記インターリーブ方法は、
任意のインターリーブ深さを選択可能なインターリーブ方法であって、
前記選択可能なインターリーブ深さから一つを選択し、
書き込みアドレスは、前記選択されたインターリーブ深さによらず一定のアドレス生成を行い、
読み出しアドレスは、前記選択されたインターリーブ深さに応じたアドレス生成を行い、
前記書き込みアドレスにより指定されたメモリ上の領域に入力されたデータを書き込み、
前記読み出しアドレスにより指定された前記メモリ上の領域から読み出されたデータを出力するデジタル放送受信方法。